(57)【要約】  衣料品などの着用される物品を保管及び／又は陳列するためのハンガー。本ハンガーは、衣料品上の締結具に結合されるように適合されてもよい。着用される物品を陳列するための方法は、締結具を有する物品を提供する工程と、補完的締結具を有するハンガーを提供する工程と、締結具によって、物品をハンガーに結合する工程とを含んでもよい。
2013532530.tif 000002
【特許請求の範囲】
【請求項１】
衣料品のためのハンガーであって、
フックと、
前記フックに接続された本体であって、解放可能かつ再締結可能な締結具を含む本体と、
を備え、
前記解放可能かつ再締結可能な締結具は、当該ハンガーを衣料品上の１つ以上の解放可能かつ再締結可能な補完的締結具に結合するように適合されている、ハンガー。
【請求項２】
前記本体は、全体として、当該ハンガーが使用されることが意図された衣料品のように形成されている、請求項１に記載のハンガー。
【請求項３】
前記本体は、衣料品を使用するための説明、又は手入れするための説明を含んでいる、請求項１又は請求項２に記載のハンガー。
【請求項４】
前記説明は、グラフィックアイコンを含んでいる、請求項３に記載のハンガー。
【請求項５】
前記説明は、書かれた言葉を含んでいる、請求項３又は請求項４に記載のハンガー。
【請求項６】
前記本体は、当該ハンガーが使用されることが意図された衣料品とともに使用される付属品を模る、請求項１〜５のいずれか一項に記載のハンガー。
【請求項７】
前記本体は、使用中に前記衣料品の内側に配置される、請求項１〜６のいずれか一項に記載のハンガー。
【請求項８】
前記本体は、使用中に折り畳まれる、請求項１〜７のいずれか一項に記載のハンガー。
【請求項９】
前記本体は、少なくとも２つの表面上に、前記衣料品を使用するための説明、又は手入れするための説明を含んでいる、請求項１〜８のいずれか一項に記載のハンガー。
【請求項１０】
前記解放可能かつ再締結可能な締結具は、機械的締結具である、請求項１〜９のいずれか一項に記載のハンガー。
【請求項１１】
前記機械的締結具は、ボタン、ボタン穴、ジッパー、スナップ、タイ、フック及びループ、フック及びフック、タブ及びスロット、並びに、これらの組み合わせ、からなる群から選択される、請求項１０に記載のハンガー。
【請求項１２】
少なくとも２つの解放可能かつ再締結可能な締結具を備えた、請求項１〜１１のいずれか一項に記載のハンガー。
【請求項１３】
前記衣料品のサイズを示す表示を備えた、請求項１〜１２のいずれか一項に記載のハンガー。
【請求項１４】
再生利用可能な材料又は再生材料を備えた、請求項１〜１３のいずれか一項に記載のハンガー。
【請求項１５】
成形パルプ、紙、板紙、厚紙、クラフトボード、又はこれらの組み合わせを備えた、請求項１〜１４のいずれか一項に記載のハンガー。
【発明の詳細な説明】
【技術分野】
【０００１】
本開示は、衣料品などの着用される物品を保管及び陳列するためのパッケージングに関し、更に、着用される物品のためのハンガーを含む、物品の使用を容易にするためのパッケージングを使用する方法に関する。
【背景技術】
【０００２】
例えば、帽子、靴、及び下着を含む着用される衣料及び他の物品は、多くの場合、フック、ハンガー、又はハングタグ（集合的に、ハンガー）によって小売スペースに陳列される。物品を吊り掛けることにより、それらを整頓しておく（例えば、しわを作らない）、物品の複数の異形（異なる色又はサイズなど）を保持するために必要とされるスペースを最小化する、及び購入可能な物品を表示するのに見て美しい方法を提示することができる。同じハンガーが、自宅で物品を保管するために消費者によって使用されてもよい。
【０００３】
下着などの一部の物品は、クリップでハンガーに留められてもよい。しかしながら、クリップは、シルクの質感を有する布地を固定しない場合があり、これは、物品がハンガーから係脱すること及び落下することにつながる場合があり、あるいはクリップが、しっかりとしたプレス嵌めにより物品に望ましくない印象を残す場合があり、又は物品を損傷する場合さえある。衣料又は靴などの一部の物品は、物品をハンガーに結合させる追加の締結具によって、ハンガーに更に取り付けられる場合がある。かかる追加の締結具としては、ハンガーを通って若しくはその周囲に縫い付けられるステッチ、又はタグ付けバーブと称されることもある、平坦化された端部を有する薄いプラスチックのストランドのような締結具が挙げられ得る。しかしながら、かかる追加の締結具は、例えば、消費者が、サイズが合うかどうか物品を試着すること、又はフィットするかどうかを評価するために物品を体に当てることを阻止することによって、購入前の消費者の物品の操作を妨害する場合がある。更に、かかる締結具は、消費者が物品を使用する又は着用する前に除去するのに苛立たしい場合があり、不適切な除去が、物品を損傷する場合がある。
【０００４】
ハンガーは、消費者が物品の特定の異形を見つけるのに役立つように、マークを付けられてもよい。例えば、ハンガーは、色分けされてもよく、又は、ハンガー上に物品のサイズを示すように番号若しくは文字でマークを付けられてもよい。しかしながら、色分け又は他の表示は、サイズ、色、又は物品の他の異形を選択する以外には、消費者にとって有用ではない場合がある。例えば、色分け又は他の表示は、消費者がどのように物品を使用するか又は手入れするかを理解するのには役立たない場合がある。
【発明の概要】
【発明が解決しようとする課題】
【０００５】
物品をしっかりと保持し、かつ容易に解放することの両方ができる、物品のための小売陳列ハンガーに対する必要性が依然として存在する。物品が購入された後、その使用及び手入れを容易にするハンガーに対する必要性が依然として存在する。
【課題を解決するための手段】
【０００６】
一部の態様において、本発明は、衣料品のためのハンガーに関する。ハンガーは、フックと、フックに接続された本体とを備えてもよい。本体は、解放可能かつ再締結可能な締結具を含んでもよい。解放可能かつ再締結可能な締結具は、ハンガーを衣料品上の１つ以上の解放可能かつ再締結可能な締結具に結合するように適合されてもよい。本体は、全体として、ハンガーが使用されることが意図された衣料品のように形成されてもよい。本体は、衣料品を使用するための説明、又は手入れするための説明を含んでもよい。説明は、存在する場合、グラフィックアイコン又は書かれた言葉を含んでもよい。本体は、ハンガーが使用されることが意図された衣料品とともに使用される付属品を模ってもよい。本体は、使用中に衣料品の内側に配置されてもよい。本体は、使用中に折り畳まれてもよい。本体は、少なくとも２つの表面上に、衣料品を使用するための説明、又は手入れするための説明を含んでもよい。２つの表面のうちの少なくとも１つは、ハンガーが衣料品に結合される時に可視的でなくてもよい。
【０００７】
解放可能かつ再締結可能な締結具は、機械的締結具であってもよい。機械的締結具は、ボタン、ボタン穴、ジッパー、スナップ、タイ、フック及びループ、フック及びフック、タブ及びスロット、並びに、これらの組み合わせ、からなる群から選択されてもよい。ハンガーは、少なくとも２つの解放可能かつ再締結可能な締結具を備えてもよい。ハンガーは、衣料品のサイズを示す表示を備えてもよい。ハンガーは、再生利用可能な材料又は再生材料を備えてもよい。ハンガーは、成形パルプ、紙、板紙、厚紙、クラフトボード、又はこれらの組み合わせを備えてもよい。
【０００８】
他の態様において、本発明は、衣料品を陳列する方法に関する。方法は、衣料品を提供する工程を含んでもよく、衣料品は、１つ以上の解放可能で再締結可能な締結具を備える。方法は、１つ以上の解放可能で再締結可能な締結具を備えるハンガーを提供する工程を含んでもよい。ハンガー上の解放可能で再締結可能な締結具は、衣料品上の解放可能で再締結可能な締結具（１つ又は複数）に補完的であってもよい。方法は、１つ以上の解放可能で再締結可能な締結具のうちの少なくとも１つによって、ハンガーを衣料品に結合させる工程を含んでもよい。ハンガーは、本体を備えてもよい。ハンガーは、本体が衣料品のための付属品を模るように、衣料品に取り付けられてもよい。方法は、衣料品を使用するための説明、又は手入れするための説明を提供する工程を含んでもよい。説明は、ハンガーの本体上に配置されてもよい。方法は、ハンガー上に１つ以上の表示を提供する工程を含んでもよい。表示は、衣料品の特性又は特徴を示してもよい。表示は、ハンガーが衣料品に結合される時に可視的であってもよい。
【図面の簡単な説明】
【０００９】
【図１】例示的なハンガーの平面図。
【図２】物品が取り付けられた状態の、開放フックを有する例示的なハンガーの斜視図。
【図３】物品が取り付けられた状態の、閉鎖フックを有する例示的なハンガーの斜視図。
【図４】取り付けられた付属品を有する例示的な物品の斜視図。
【図５Ａ】例示的なハンガーの後側の平面図。
【図５Ｂ】例示的なハンガーの前側の平面図。
【図５Ｃ】例示的なハンガーの前側の平面図。
【図６】吸収性物品の形態の例示的な物品の斜視図。
【図７】吸収性物品のための外側カバーの形態の例示的な物品の平面図。
【図８Ａ】例示的なハンガーの反対側の前側及び後側の平面図。
【図８Ｂ】例示的なハンガーの反対側の前側及び後側の平面図。
【図９】折り畳まれた本体を有する例示的なハンガーの斜視図。
【図１０】バンドの形態の例示的なハンガーを含む、例示的なパッケージングの斜視図。
【図１１】バンドの形態の例示的なハンガーを含む、例示的なパッケージング構成の分解図。
【図１２】バンドの形態の例示的なハンガーを含む、例示的な、組み立てられたパッケージング構成の斜視図。
【発明を実施するための形態】
【００１０】
本明細書において使用される際、「アイコン」は、描画又は記号を介して情報が通信されることが意図されたグラフィック表示を指す。アイコンは、言葉を用いずに物体又は作用を示すことを意味する、単純な線描画であってもよい。例示的な、非限定的なアイコンには、ＡＳＴＭ規格Ｄ５４８９−０７、Ｓｔａｎｄａｒｄ  Ｇｕｉｄｅ  ｆｏｒ  Ｃａｒｅ  Ｓｙｍｂｏｌｓ  ｆｏｒ  Ｃａｒｅ  Ｉｎｓｔｒｕｃｔｉｏｎｓ  ｏｎ  Ｔｅｘｔｉｌｅ  Ｐｒｏｄｕｃｔｓに説明されるものが挙げられる。
【００１１】
本明細書において使用される際、「画像」は、写真、又は質的に、詳細に、及び現実主義的に写真を模倣するアートワークを指す。
【００１２】
一部の態様において、本開示は、衣料品などの着用される物品上の締結具に結合されるように適合されてもよいハンガーを説明する。ハンガーは、ボタン又はスナップ部材などの、解放可能で再締結可能な締結具を含んでもよく、ボタン穴又は補完的スナップ部材などの、物品上の解放可能で再締結可能な締結具に結合されてもよい。一部の実施形態において、ハンガーは、物品が外部締結具（例えば、ループクロージャ又は締結バーブ）を用いずに、しっかりとハンガーに取り付けられる（例えば、物品が非意図的にハンガーから落下する可能性が低い）ように、物品に直接結合することができる。ハンガーは、本体を備えてもよい。本体は、物品を支持及び／又は陳列するように構成されてもよい。本体は、物品を使用するための説明、又は手入れするための説明を含んでもよい。本体は、物品のための付属品を模ってもよい。物品のための付属品を模ることによって、本体の存在は、消費者が、どのように物品を付属品とともに使用するかを理解するのに役立ち得る。
【００１３】
例示的なハンガー１０が、フック１２及び本体１４とともに図１に示される。フック１２は、物品１８がハンガー１０及び本体１４の被覆部分に取り付けられた状態で、図２に示されるように、ラック又はワイヤ棚から吊り下げるように適合されてもよい。「フック」１２は、代替的に、図３に示されるように、閉鎖開口を備えてもよく、これは、棒、例えば、調節可能な陳列板又は陳列棚上の棒からハンガー１０を吊り掛けるために使用されてもよい。一部の実施形態において、ハンガー１０は、フック部分を備えなくてもよい。例えば、ハンガー１０は、棚又は他の表面上に平坦に陳列されることが意図されてもよく、あるいは、ハンガー１０は、洗濯挟み、クリップなどのホルダから吊掛して陳列されることが意図されてもよい。
【００１４】
本体１４は、締結具１６を含んでもよい。締結具１６は、解放可能かつ再締結可能であってもよい。つまり、締結具１６は、締結具１６、本体１４、又は物品１８への相当な損傷を伴わずに、第２の補完的締結具に接続する、取り外す、かつ再接続するように設計されてもよい。補完的締結具は、第１の締結具と嵌合することが意図される、第２の締結具を指す。例えば、第１の締結具は、ボタンであってもよく、第２の締結具は、ボタン穴であってもよいか、又は第１の締結具は、フックを備えてもよく、第２の締結具は、ループを備えてもよいか、又は第１の締結具は、スナップの雌部材を備えてもよく、第２の締結具は、スナップの雄部材を備えてもよい。締結具１６は、物品１８内又はその上の締結具２０を補完するように選択されてもよい。補完的締結具は、その片方に特有ではない締結具を指すことは意図されない。例えば、任意の好適にサイズ決定された支持構造の周囲を巻包することができるループ、又はクリップ若しくは洗濯挟みなどのプレス嵌め「締結具」は、本開示の目的上、補完的締結具ではない。
【００１５】
締結具２０は、物品１８をハンガー１０に結合する目的で物品１８に存在してもよいか、あるいは締結具２０は、他の目的で物品１８に存在してもよい。例えば、物品１８は、シャツ又はブラウスであってもよく、締結具２０は、シャツ若しくはブラウスにおける開口を低減又は閉鎖するために使用されてもよい。例えば、締結具２０は、ボタンダウンのシャツ上のボタン、又はシャツの首のホック留め締結システムのためのフック、又は吸収性物品における腰部開口を形成するためのフック及びループ締結具であってもよい。締結具２０は、装飾の特性として物品１８上に存在してもよい。例えば、締結具２０は、物品１８が着用される時に閉鎖する、固定する、又は他の機能を実行するために使用されないが、視覚的関心若しくは美的魅力を付加する、ジッパー、スナップ、又はボタンを備えてもよい。締結具２０は、物品１８を付属品２４に結合するために存在してもよい。例えば、締結具２０は、帽子への花、ちょう結び、若しくは他のオーナメントの取り付けを容易にする、又はブラウス若しくはジャケットにスカーフを結ぶ、又はシャツ若しくはジャケットへの肩パッドの取り付けを容易にすることが意図されてもよい。
【００１６】
本体１４は、全体として、物品１８を埋めるように形成されてもよい。例えば、本体１４は、着用される時に、物品１８がおよそ有するであろう形状に物品１８を保持してもよい。これらの実施形態において、本体１４は、どのように若しくはどこで物品が着用されるか、又は着用される時に物品がどのように見えるか（従来のハンガー上で、又は棚上で折り畳まれた状態で物品がどのように見えるかとは対照的に）を、消費者が視覚化するのに役立つ方法で、物品１８を陳列するのに役立ってもよい。一部の実施形態において、本体１４は、締結具１６を保持するのに必要なものよりも著しく大きくはない。つまり、一部の実施形態において、本体１４は、物品１８を付形すること、又は埋めることなどの他の機能を果たさない。物品１８が付属品とともに使用されるように適合される場合、本体１４は、付属品２４を模ってもよい。例えば、本体１４は、図４及び５Ａ〜５Ｃに示されるように、形状、色、又は外観の他の態様、帽子用の花、ちょう結び、若しくは他のオーナメントに似ていてもよい。本体１４は、図２〜３に示されるように、物品１８がハンガー１０に取り付けられる時に物品１８の内側に配置されてもよいか、又は図４によって提唱されるように、物品１８がハンガー１０に取り付けられる時に物品１８の外側に配置されてもよい。
【００１７】
本体１４は、物品１８を使用するための説明、又は手入れするための説明を提供する表示２２を含んでもよい。例えば、本体１４は、物品１８を着用者に適用するための説明を提供してもよいか、又は物品１８を洗濯するための説明を提供してもよい。物品１８が付属品２４とともに着用されるように適合される場合、本体１４は、付属品２４を取り付ける、調節する、除去する、又は手入れするための説明を提供してもよい。一部の実施形態において、本体１４は、付属品２４を模り、どのように付属品２４を取り付ける及び／又は除去するかに関する直感的な例を消費者に提供する。例えば、消費者は、同じタイプの締結システムを使用して、本体１４を除去しても、付属品２４をほぼ同じ場所に取り付けてもよい。本体１４が説明を含む場合、説明は、図５Ｂに示されるように言葉で書かれてもよいか、又は説明は、図５Ｃに示されるようにグラフィックアイコンを含んでもよいか、又は説明は、書かれた説明及びグラフィックアイコンの両方を含んでもよい。グラフィックアイコンは、例えば、どのように物品１８をハンガー１０から取り外すか、適切な場合、どのように物品１８を付属品２４と組み合わせるか、又は物品１８若しくは付属品２４を洗う及び／若しくは乾燥させるにはどんな状態が適切かを示す画像を含んでもよい。ハンガー１０は、本体１４上の任意の説明に加えて、又はその代わりに、物品１８の異形を区別するのに役立つように１つ以上のマーキング２６を含んでもよい。例えば、図５Ｃに示されるように、マーキング２６は、サイズ、スタイル、又は色などの、物品１８の何らかの特性の数値表示を提供してもよい。マーキング２６は、類似しているが同じではない、大きな分類の物品から物品１８の選択を容易にしてもよい。マーキング２６は、数字、文字、言葉、アイコン、又は画像を含んでもよい。マーキング２６に加えて、又はその代わりに、フック１２又は本体１４は、物品１８の何らかの特性を示す、色、パターン、アイコン、又は画像を含んでもよい。
【００１８】
一部の実施形態において、図６に示されるように、物品１８は、吸収性物品、又は吸収性物品の構成要素である。身体に着用されるか、又はその近くで着用される吸収性物品は、尿、糞便、経血などの、体滲出物を捕捉及び格納するために使用されてもよい。吸収性物品は、使い捨てであってもよい。つまり、吸収性物品は、いくらかの期間、又はそれらが１つ以上の体滲出物で汚れるまで着用され、次いで廃棄されることが意図されてもよい。吸収性物品は、再利用可能な構成要素を含んでもよい。例えば、吸収性物品は、再利用可能な外側カバーを有してもよい。再利用可能な外側カバーは、例えば、使い捨て挿入体とともに使用されてもよい。使い捨て挿入体は、吸収性を提供してもよく、再利用可能な外側カバーは、快適に使い捨て挿入体を適所に保持してもよい。再利用可能な外側カバーはまた、布おむつなどの再利用可能な吸収性挿入体とともに使用されてもよい。完全に使い捨ての吸収性物品に対して、再利用可能な外側カバーは、使い捨て吸収性挿入体とともに使用される時でさえも、環境的利益を提供し得る。例えば、再利用可能な外側カバーは、使い捨て吸収性物品に対して、埋立地において処分される廃棄物の量を低減し得る。一部の実施形態において、物品１８は、吸収性物品のための再利用可能な外側カバーであってもよい。
【００１９】
物品１８が吸収性物品のための再利用可能な外側カバーである、図６に示されるように、物品１８は、締結具２０を備えてもよく、これは、付属品２４の締結具２８に補完的であってもよい。図６に示されるように、付属品２４は、吸収性物品のための吸収性挿入体であってもよい。図７に示されるように、物品１８は、少なくとも２つの締結具２０ａ及び２０ｂを有してもよい。締結具２０ａ及び２０ｂは、同じ又は異なるタイプの締結システムであってもよい。例えば、締結具２０ａは、スナップの雌部分であってもよく、締結具２０ｂは、フック及びループ締結具のフックセクションであってもよいか、又は締結具２０ａ及び２０ｂは、各々、フック及びループ締結具のフックセクションを備えてもよい。締結具２０ａ及び２０ｂは、類似の形状及びサイズを有してもよいか、あるいは、図７に示されるように、締結具２０ａ及び２０ｂは、異なるサイズ及び／又は形状であってもよい。これは、例えば、付属品２４が、特定の位置又は配向で物品１８に取り付けられることが意図される場合、有用であり得る。付属品２４は、物品１８の締結具２０ａ及び２０ｂに補完的である、締結具２８を有してもよい。締結具２０ａ及び２０ｂが異なるタイプである場合、付属品２４は、補完的締結具が正確に嵌合することから、補完的締結具が整合される時に最も容易に物品１８に結合される。代替的に、締結具２０ａ及び２０ｂが同じタイプの締結具である場合、それらは、異なるサイズ又は形状を有してもよく、付属品２４上の締結具２８は、付属品２４における同様のサイズ及び形状の締結具２８を、物品１８の締結具２０に嵌合させることが、所望の位置又は配向で、付属品２４を物品１８に結合させることをもたらすように、サイズ決定及び形成されてもよい。ハンガー１０は、図８Ａ及び８Ｂに示されるように、本体１４の反対側の前及び後側上に、締結具１６ａ及び１６ｂを有してもよい。締結具１６ａ及び１６ｂは、締結具２０ａを締結具１６ａに結合すること、及び締結具１０ｂを締結具１６ｂに結合することによって、物品１８をハンガー１０の前側に結合することができるように、締結具２０ａ及び２０ｂを嵌合させるように選択される締結具タイプ、サイズ、及び形状であってもよい。
【００２０】
ハンガー１０の本体１４は、図９に示されるように、折り畳まれてもよく、内側表面３０、３２、及び外側表面３４、３６を創出する。表面３０、３２、３４、及び３６のいずれか又はすべては、表示２２を含んでもよい。ハンガー１０が折り畳まれる場合、ハンガー１０の外側表面３４又は３６上に締結具１６を配置することが望ましい場合がある。外側表面３４、３６上の締結具１６により、物品１８は、ハンガー１０の本体１４が物品１８の内側に配置された状態で、外側表面３４又は３６に取り付けることができる。ハンガー１０の本体１４は、物品１８によって少なくとも部分的に被覆される可能性があるため、かかる実施形態は、例えば、物品１８が陳列される時に、その外観を強調するのに望ましい場合がある。このため、消費者は、購入前に、物品１８を見て、触ることができる。締結具１６はまた、内側表面３０又は３２上に配置されてもよい。かかる実施形態において、物品１８は、内側表面３０又は３２に取り付けられてもよい。本体１４の少なくとも一部分は、物品１８の周囲を巻包してもよい。物品１８は、本体１４の折り畳まれた部分の内側に部分的に集められるか、又は折り畳まれてもよく、あるいは本体１４は、物品１８の全寸法が、それが折り畳まれる時でさえ、本体１４の内側に収容されるように十分に長くてもよい。物品１８を本体１４の内側に配置することは、例えば、輸送若しくは保管中の損傷又は汚れから物品１８を保護し得るか、又はハンガー１０上の表示２２若しくはマーキング２６を強調し得る。
【００２１】
一部の実施形態において、ハンガー１０は、フック１２を有しない。代わりに、本体１４は、本体１４上の締結具（１つ若しくは複数）１６によって物品１８上の締結具（１つ若しくは複数）２０に結合される、材料の一片を備えてもよい。物品１８は、本体１４とともに折り畳まれてもよく、あるいは、図１０に示されるように、物品１８は、本体１４によって、ボックス３８などの別の物体又は表面に固定されてもよい。本体１４は、ボックス３８の４つすべての側面周囲全体を巻包してもよく、あるいは本体１４は、任意の好適な手段を介して、ボックス３８上の任意の所望の場所に固定されてもよい。例えば、本体１４は、締結具１６によって物品１８に固定されてもよく、かつボックス３８にホチキスで留められる、テープで留められる、縫い付けられる、熱溶解される、糊付けされる、又は別様に取り付けられてもよい。
【００２２】
本論述は、物品１８をハンガー１０に取り付けることに焦点を当てているが、ハンガー１０がまた、所望される際、付属品２４を陳列及び保管するために使用されてもよいことを理解されたい。
【００２３】
ハンガー１０は、熱成形、射出成形、ダイキャスト、又はダイカットを含む、任意の好適なプロセスによって作製されてもよい。一部の実施形態において、ハンガー１０は、成形パルプ、紙、板紙、厚紙、クラフトボードなどから形成される。材料は、パッケージが湿気若しくは湿りに抵抗するのに役立つ、及び／又は印刷を容易にする、又はパッケージ上の印刷された画像を劣化から保護するように、ワックス、粘土、ラッカー、ワニス、又はこれらのコーティングの組み合わせと同様に、コーティングされてもよい。材料は、第２の材料にラミネートされてもよい。かかる材料は、ハンガー１０上に表示２２を印刷することを容易にしてもよい。かかる材料はまた、再生利用可能であってもよく、及び／又は再生された内容物を含んでもよい。再生利用可能なハンガー１０が、ボックス３８などの別の物体又は表面とともに使用される場合、他の物体又は表面もまた再生利用可能であることが望ましい場合がある。ハンガー１０、及び物体又は表面３８の材料は、同じである必要はない。異なる材料を使用すること、又は異なる外観を提供するために同じ材料を処理することは、ハンガー１０、及び物体若しくは表面３８の外観を改善してもよいか、又はハンガー１０上の表示２２を強調してもよい。異なる材料を使用することはまた、ハンガー１０及びボックス３８を取り扱う時に心地良い又は興味深い触感を提供してもよい。一部の実施形態において、物品１８が再利用可能な吸収性物品、又は再利用可能な吸収性物品の構成要素である時のように、その各々が再生利用可能である、異なる材料を使用することは、環境に優しいメッセージを強化するために使用されてもよい。例えば、異なる消費者は、異なる種類の材料を再生利用可能であるとして認識し得る。このため、パッケージングが２つ又は３つ以上の異なる材料を含む場合、消費者は、材料のうちの１つを再生利用可能であるとして認識し、かつ、他の材料（１つ又は複数）が消費者にはなじみのない場合でさえも、他の材料もまた再生利用可能である可能性が高いと推測し得る。異なる材料を使用することはまた、パッケージにおける視覚的及び／又は組織的関心を創出してもよい。例えば、パッケージは、パッケージを触る又は取り扱う時に異なる材料が異なる触感を提供する場合、より興味深く感じられてもよい。
【００２４】
ボックス３８（又は、帽子箱若しくはタブなどの、物品をパッケージ化するために好適な形状及びサイズの他の容器）が提供される場合、ボックス３８は、物品１８のサンプルを陳列するために、少なくとも１つの表面上にトレー４０を含んでもよい。トレー４０は、図１１に示されるように、全体として物品１８のシルエットのように形成される周辺４３を有する陥凹４２とともに形成されてもよい。物品１８は、ボックス３８の表面内又は表面上に位置するトレー４０内に配置されてもよく、ハンガー１０の本体１４は、物品１８がボックス３８の表面に固定されるが、消費者がボックス３８を開けることなく物品１８を見て、触ることができるように、少なくとも部分的に曝露されるように、物品１８、トレー４０、及びボックス３８の周囲に巻包されてもよい。ハンガー１０は、フック１２を有しても又は有しなくてもよい。図１１に示されるように、物品１８が、吸収性物品において腰部開口を創出するために使用される締結具２０などの、機能的締結具２０を含む実施形態において、ハンガー１０は、締結具（複数を含む）１６の代わりに、又はそれに加えて、カットアウト４４を備えてもよい。カットアウト（複数を含む）４４は、物品１８が、ハンガー１０に直接結合されることなく、ハンガー１０上にしっかりと着座されるように、物品１８が、ハンガー１０を通って又はその周囲でそれ自身に固定されることを可能にする。組み立てられる時、ボックス３８、トレー４０、物品１８、及びハンガー１０は、図１２に示されるように、ボックス３８上に実質的に平滑な外面を形成してもよい。つまり、完全な組立体は、ある点で、ボックス３８の面の平面の内方に突出していてもよいが、完全な組立体は、ボックス３８の面の平面から突出しなくてもよい。ボックス３８上の実質的に平滑な外面は、ボックス３８を出荷する及び積み重ねるのを容易にしてもよく、ボックス３８の面の平面から突出していない場合、物品１８は、他の物体にひっかかる、又はずれる若しくは裂ける可能性が低い場合があるため、出荷、保管、及び／又は陳列の間の物品１８への損傷を阻止するのに役立ってもよい。
【００２５】
ボックス３８の外側に配置された物品１８に加えて、１つ以上の物品１８及び／又は付属品２４は、ボックス３８の内側に配置されてもよい。これは、例えば、物品１８が吸収性物品のための外側カバーであり、付属品２４が吸収性挿入体である場合、望ましいことであり得る。物品１８が再利用可能な外側カバーであり、付属品２４が使い捨て吸収性挿入体である実施形態などの、一部の実施形態において、物品１８は、不可逆的損傷を伴うことなく、出荷、陳列、及び／又は保管の間に、環境へのいくらかの曝露に耐えることができてもよい。例えば、物品１８は、物品１８がほこりを被った場合、それを洗い、完全に機能的なままとすることができるように、洗濯可能であってもよい。付属品２４が使い捨て吸収性挿入体であるか、又は特に繊細若しくは華美である場合、それが、出荷、陳列、及び／又は保管の間に、ほこりを被る、汚れる、又は乱れた場合、付属品２４を再調整するのは困難又は不可能であり得る。このため、ボックス３８を使用することは、ボックス３８の外側に少なくとも１つの物品１８を陳列することを容易にしてもよく、そこで物品１８は、同時に、出荷、陳列、及び／又は保管の間の保護のために、ボックス３８の内側にある少なくとも１つの付属品２４とともに販売される。
【００２６】
再生された及び／又は再生利用可能な製品及び／又はパッケージングに関しては、ボックス３８を構成する材料の量に対して、ボックス３８が保持することができる内容物の容量を増加させるように、ボックスの容量対表面積率を増加させる寸法をボックス３８に提供することが望ましい場合がある。例えば、ボックス３８が立方体又は直方体である場合（例えば、ボックス３８の１つの側面が、ほぼ正方形又は長方形である場合）、別の側面の長さの２倍超、又は１．５倍超、又は１．２倍超である長さを有する側面がないことが望ましい場合がある。
【００２７】
本明細書に開示した寸法及び値は、記載された正確な数値に厳密に限定されるものとして理解されるべきでない。むしろ、特に断らないかぎり、そのようなそれぞれの寸法は、記載された値及びその値周辺の機能的に同等の範囲の両方を意味するものとする。例えば、「４０ｍｍ」として開示された寸法は、「約４０ｍｍ」を意味することを意図する。
【００２８】
相互参照されるか又は関連するすべての特許又は特許出願を含む、本明細書に引用されるすべての文書を、特に除外又は限定することを明言しないかぎりにおいて、その全容にわたって本明細書に援用するものである。いずれの文献の引用も、こうした文献が本明細書で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中で用語に与えられる意味又は定義が優先するものとする。
【００２９】
以上、本発明の特定の実施形態を例示、記載したが、本発明の趣旨及び範囲から逸脱することなく他の様々な変更及び改変を行い得る点は、当業者には明らかであろう。したがって、本発明の範囲に含まれるそのようなすべての変更及び改変を添付の特許請求の範囲において網羅するものとする。
【図１】
2013532530.tif 000003
【図２】
2013532530.tif 000004
【図３】
2013532530.tif 000005
【図４】
2013532530.tif 000006
【図５Ａ】
2013532530.tif 000007
【図５Ｂ】
2013532530.tif 000008
【図５Ｃ】
2013532530.tif 000009
【図６】
2013532530.tif 000010
【図７】
2013532530.tif 000011
【図８Ａ】
2013532530.tif 000012
【図８Ｂ】
2013532530.tif 000013
【図９】
2013532530.tif 000014
【図１０】
2013532530.tif 000015
【図１１】
2013532530.tif 000016
【図１２】
2013532530.tif 000017
【国際調査報告】
2013532530.tif 000018
2013532530.tif 000019
2013532530.tif 000020